(57)【要約】【課題】蓋を容易に開閉でき、かつ、複数種類の蓋に対応して容易に蓋を開閉可能な蓋開閉具を提供すること。【解決手段】全体的に屈曲性を略有しない硬度からなり、回転により開閉する蓋が挿入される穴部４０と、穴部４０の内周面４０Ａに形成され、蓋の外周面に形成された突起と係止可能な一つ或いは複数の凹部３２と、穴部４０を回転するための操作部５０とを有し、一つ或いは複数の凹部３２は、突起１０の位置及び／又は大きさが互いに異なる複数種類の蓋のいずれを穴部４０に挿入した際にも突起を収容するようにし、かつ、少なくとも回転した際には突起と係止されることを特徴とする蓋開閉具。【選択図】図１０
2017226426.tif 000002
【特許請求の範囲】
【請求項１】
全体的に屈曲性を有さず、
回転により開閉する蓋が挿入される穴部と、
前記穴部の内周面に形成され、前記蓋の外周面にある複数の突起の一つ或いは複数と係止可能な一つ或いは複数の凹部と、
前記穴部を回転させるための操作部と、
を有し、
前記一つ或いは複数の凹部は、前記突起の位置及び／又は大きさが互いに異なる複数種類の前記蓋のいずれを前記穴部に挿入した際にも前記突起を収容するようにし、かつ、少なくとも前記回転した際には前記突起と係止される
ことを特徴とする蓋開閉具。
【請求項２】
前記穴部の内周面には、夫々に前記突起が収容可能なように前記複数の凹部が形成されていることを特徴とする請求項１に記載の蓋開閉具。
【請求項３】
前記複数の凹部の全ては、前記突起の突出寸法が区々な場合、前記複数種類の前記蓋の前記突起の内、最も大きな前記突出寸法と同等以上の深さとなるように形成されていることを特徴とする請求項１又は２に記載の蓋開閉具。
【請求項４】
前記複数の凹部は、
前記回転方向における位置について前記複数種類の前記蓋に共通する前記突起である複数の共通突起の夫々を個別に収容するようにした複数の第１の凹部と、
前記回転方向において互いに隣接する前記複数の第１の凹部どうしの間にある複数の前記突起をまとめて収容可能な大きさである第２の凹部と、
を有することを特徴とする請求項１乃至３のいずれかに記載の蓋開閉具。
【請求項５】
前記複数の凹部の夫々は、前記複数種類の前記蓋の全ての前記突起について、夫々を個別に収容できるように形成されていることを特徴とする請求項１乃至３のいずれかに記載の蓋開閉具。
【請求項６】
前記一つ或いは複数の凹部は、前記回転方向における位置について前記複数種類の前記蓋に共通する前記突起である複数の共通突起の夫々から、前記回転方向の一方側の次の前記共通突起の直前の前記突起までをまとめて収容するようにしており、
前記直前の前記突起は、前記複数種類の前記蓋のうち前記次の前記共通突起に最も近い位置にある突起である
ことを特徴とする請求項１乃至３のいずれかに記載の蓋開閉具。
【請求項７】
前記操作部は、前記穴部から前記蓋の略半径方向に延伸することで、手で把持可能なレバー状とされていることを特徴とする請求項１乃至６のいずれかに記載の蓋開閉具。
【請求項８】
前記穴部の内周面は、前記操作部の周縁部に比べて薄いことを特徴とする請求項７に記載の蓋開閉具。
【請求項９】
前記操作部の周縁部の厚みは、把持する際に曲げた指の第一関節と第二関節との間の前記指の内側寸法と同様であることを特徴とする請求項７又は８に記載の蓋開閉具。
【請求項１０】
前記操作部は、前記延伸する方向と交差する方向である幅方向の前記周縁部に、把持された際に母指球の丸みに略沿うように形成された湾曲部が形成されていることを特徴とする請求項７乃至９のいずれかに記載の蓋開閉具。
【請求項１１】
前記操作部は、前記湾曲部を前記幅方向の片側にのみ有すると共に、前記穴部から離間するに従って除々に前記幅方向の寸法が小さくなっていることを特徴とする請求項１０に記載の蓋開閉具。
【請求項１２】
前記操作部は、主面の一方に、前記湾曲部を押す方向が前記蓋を開ける方向であることを示す開蓋案内表示部と、前記主面の他方に、前記湾曲部を引く方向が前記蓋を閉める方向であることを示す閉蓋案内表示部と、を有することを特徴とする請求項１１に記載の蓋開閉具。
【請求項１３】
前記穴部の一方の側に前記操作部が形成されており、前記穴部の他方の側には前記穴部の一部を切り欠くようにして切り欠き部が形成されていることを特徴とする請求項７乃至１２のいずれかに記載の蓋開閉具。
【発明の詳細な説明】
【技術分野】
【０００１】
本発明は、蓋を開閉するための蓋開閉具に関する。
【背景技術】
【０００２】
容器を封止するための蓋は、回転させて開閉するのが一般的である。例えば、灯油・飲料水・薬液を保存・運搬するためのポリタンクなどと呼ばれる容器については、螺合構造を採用しており、液体の注入・注出口の外周面に雄ネジを形成し、蓋の内周面に雌ネジを形成している。そして、この雄ネジと雌ネジを噛合させるように蓋を回転させて蓋を閉め、該噛合を解除する方向に蓋を回転させて蓋を開けることができる。
【０００３】
この螺合構造の蓋については、従来、その開閉を容易にするための蓋開閉具が存在する。そのような蓋開閉具としては、例えばシリコーンなどからなるゴムシートを蓋の上に被せて、該ゴムのグリップ力を利用して、蓋を容易に開閉できるようにしたものがある。
この点、このゴムシートは、弾力性ないし形状復元性を有するため、蓋の突起に上手く係合させることができない。そのため、蓋を固く締める必要がある灯油容器などの容器について、蓋の開閉は困難であり、高齢者や子供等のように非力な者には尚更である。そこで、特許文献１では、蓋の上に被せる屈曲自在なシート材であって、その内面に滑り止め材を設けると共に、タックやギャザー等の収縮手段を有するようにしている。これにより、特許文献１の蓋開閉具は、収縮手段により形成された凹凸部が蓋の突起の間に入り込んで、滑り止め効果を有効に発揮させて、蓋の開閉を容易にしている。
【先行技術文献】
【特許文献】
【０００４】
【特許文献１】特開平９−２８６４４７公報
【発明の開示】
【発明が解決しようとする課題】
【０００５】
ところで、特許文献１のような蓋へ被せて使用するシート材では、その屈曲性がゆえに、凹凸部を蓋の突起の間に入れた状態を保持するためには、手で蓋開閉具を蓋にしっかり押さえ付ける相当な握力が必要とならざるを得ず、やはり蓋の開閉は容易ではない。特に、揮発性のある灯油・石油・薬液等の容器は高い気密性を求められるだけでなく、運搬性も考慮して強く閉める必要があり、しかも、冬期などでは寒気により容器内の圧力が下がって、蓋は容器に吸着した状態になることがある。このような状況下で、高齢者等の非力な者が蓋を開閉するのは相当に難しい。
そこで、このような気密性や運搬性等が求められる容器の蓋を容易に開閉するためには、屈曲性のあるシート材ではなく、非屈曲性の部材を蓋の突起に係止させて、手で蓋開閉具を蓋に押さえ付ける必要なく、蓋を開閉することが好ましい。
【０００６】
しかし、非屈曲性の部材を蓋の突起に係止させて蓋を開閉する構造の場合、蓋の突起の位置や大きさは容器によって区々であるため、一つの蓋開閉具で利用できる蓋の種類は限定されてしまう。このことは、容器の使用者にとって、同じ種類の蓋ないしはその容器を使い続ける必要があるなどの不都合を招き、また、容器や蓋を販売する店にとっても、蓋の種類の数だけ蓋開閉具を在庫として保管しておく必要が生じ、その負担は大きい。
【０００７】
本発明は、このような実情に鑑みてなされたものであり、蓋を容易に開閉でき、かつ、複数種類の蓋に対応して開閉可能な蓋開閉具を提供することを目的とする。
【課題を解決するための手段】
【０００８】
上記課題は、本発明によれば、全体的に屈曲性を有さず、回転により開閉する蓋が挿入される穴部と、前記穴部の内周面に形成され、前記蓋の外周面にある複数の突起の一つ或いは複数と係止可能な一つ或いは複数の凹部と、前記穴部を回転させるための操作部と、を有し、前記一つ或いは複数の凹部は、前記突起の位置及び／又は大きさが互いに異なる複数種類の前記蓋のいずれを前記穴部に挿入した際にも前記突起を収容するようにし、かつ、少なくとも前記回転した際には前記突起と係止される蓋開閉具により解決される。
【０００９】
本発明の構成によれば、全体的に屈曲性を有さず、回転により開閉する蓋が挿入される穴部と、この穴部の内周面に形成され、蓋の外周面にある複数の突起の一つ或いは複数と係止可能な一つ或いは複数の凹部と、穴部を回転させるための操作部とを有している。従って、使用者は、穴部に蓋を挿入して操作部を操作すれば、蓋から蓋開閉具が外れないように手で押さえ付ける力を入れることなく、凹部を蓋の突起に係止させて蓋を回転することができる。
さらに、この一つ或いは複数の凹部は、突起の位置及び／又は大きさが互いに異なる複数種類の蓋のいずれを穴部に挿入しても突起を収容するようにしている。例えば、複数種類の蓋の夫々の突起を個別に収容する凹部を形成することが出来れば、そのような凹部を形成すればよいし、或いは、複数種類の蓋の夫々の突起を個別に収容する凹部を形成できなければ、突起よりも相当に大きな凹部を形成して、回転方向の位置が合致していなくても、その大きな凹部の中に突起を収容してもよい。このように、凹部と突起の位置が合致するか否かにかかわらず、少なくとも凹部の中に突起を収容するようにしている。
そして、少なくとも回転した際には、突起を収容した凹部によって突起が係止される。この「少なくとも回転した際」とは、穴部に蓋を挿入して、仮に、回転方向の位置について突起と凹部とが合致せずに双方の間にスペースがあっても、穴部が回転した際には、一つ或いは複数の凹部とその中の突起とが係止することを意味する。このため、例えば、突起がそれよりも大きな凹部に収容された場合であっても、穴部を回転させれば一つ或いは複数の凹部とその中の突起とが当接して係止することで、蓋を回転させて開閉することができる。従って、この一つの蓋開閉具を使用すれば、所定の複数種類の蓋を開閉することができる。
【００１０】
なお、上記「回転」は一方側と他方側の両側に動くことが可能な動きであり、「回動」と呼ぶこともできる。
また、上記「複数種類の蓋」とは、所定の用途に使用する蓋の種類全てを意味するものではなく、突起の位置や大きさが異なっても、使用して開閉できる蓋の種類が２つ以上あればよい趣旨である。
また、本発明では、蓋に複数の突起がある場合、複数の突起の全てが凹部と係止される必要はなく、一つ或いは複数の凹部がその中のいずれかの突起と係止されればよい。
【００１１】
また、好ましくは、前記穴部の内周面には、夫々に前記突起が収容可能なように前記複数の凹部が形成されていることを特徴とする。
これにより、複数の凹部の夫々の中に突起を収容して、複数個所の突起に力を伝達して蓋をある程度バランスよく回転させることができる。複数の凹部の数（凹部と突起との係止数）は、好ましくは３カ所以上であって、回転方向の位置について均等に係止されるのがより好ましい。
【００１２】
また、好ましくは、前記複数の凹部の全ては、前記突起の突出寸法が区々な場合、前記複数種類の前記蓋の前記突起の内、最も大きな前記突出寸法と同等以上の深さとなるように形成されていることを特徴とする。
そうすると、一つの蓋に突出寸法が異なる複数の突起があっても、凹部と突起との回転方向の位置さえ対応していれば、いずれの凹部にも突起を収容することができる。このため、穴部に蓋を挿入する際の回転方向の位置について、受ける制限を少なくすることができる。従って、使用者は自分の好きな位置に蓋を挿入し易くなり、蓋をストレスなく回転させることができる。
【００１３】
また、好ましくは、前記複数の凹部は、前記回転方向における位置について前記複数種類の前記蓋に共通する前記突起である複数の共通突起の夫々を個別に収容するようにした複数の第１の凹部と、前記回転方向において互いに隣接する前記複数の第１の凹部どうしの間にある複数の前記突起をまとめて収容可能な大きさである第２の凹部と、を有することを特徴とする（即ち、複数種類の蓋の突起の位置に共通する部分がある場合、該共通する突起については、個別に対応して収容する凹部を形成し、共通しない突起については凹部を大きく形成して収容するものである）。
そうすると、凹部は、回転方向における位置について複数種類の蓋に共通する突起である複数の共通突起の夫々を個別に収容するようにした複数の第１の凹部を有しているため、蓋開閉具を回転すると直ぐに共通突起と第１の凹部との係止が可能であり、ストレスなく円滑な開閉動作を行うことができる。
さらに、凹部は、互いに隣接する複数の第１の凹部どうしの間にある複数の突起をまとめて収容可能な大きさである第２の凹部を有している。このため、複数の第１の凹部どうしの間にある複数の突起は第２の凹部に収容されて、第１の凹部に共通突起が入る態様を邪魔することがない。また、第２の凹部の中に収容された突起は、その中ではどの位置であっても構わないことから、蓋開閉具を使用できる蓋の種類数を増やすことができる。
なお、第２の凹部は、突起と上手く係止すれば、操作部を操作した際の力をより伝達し易くなるが、突起と係止しない場合であっても、複数の第１の凹部で共通突起に力を伝達して蓋を回転することができるため、良好な操作性を得ることができる。
【００１４】
また、好ましくは、前記複数の凹部の夫々は、前記複数種類の前記蓋の全ての前記突起について、夫々を個別に収容できるように形成されていることを特徴とする。
そうすると、穴部に挿入したいずれの蓋についても、回転方向における位置について突起が凹部に個別に収容されるので、蓋開閉具を使用可能な蓋の種類は減るかも知れないが、蓋開閉具を回転すると直ぐに全ての突起と凹部とが係止し、操作した力を全ての突起にバランスよく伝達して、よりストレスなく円滑な開閉動作を行うことができる。
【００１５】
また、好ましくは、前記一つ或いは複数の凹部は、前記回転方向における位置について前記複数種類の前記蓋に共通して存在する前記突起である複数の共通突起の夫々から、前記回転方向の一方側の次の前記共通突起の直前の前記突起までをまとめて収容するようにしており、前記直前の前記突起は、前記複数種類の前記蓋のうち前記次の前記共通突起に最も近い位置にある突起であることを特徴とする。
そうすると、凹部は、夫々の共通突起から回転方向の一方側の次の共通突起までの複数の突起までをまとめて収容するように大きく形成されているので、凹部の中では突起の位置は千差万別であって構わない。特に、回転方向の一方側の次の共通突起の直前の突起は、複数種類の蓋のうち該次の共通突起に最も近い位置にある突起であるため、凹部は相当に大きく形成されており、様々な突起の位置に対応できる。従って、本蓋開閉具を使用可能な蓋の種類を広げることができる。
【００１６】
また、好ましくは、前記操作部は、前記穴部から前記蓋の略半径方向に延伸することで、手で把持可能なレバー状とされていることを特徴とする。
従って、使用者は穴部を支点にして操作部を回転することができ、テコの要領で比較的小さな力で蓋を回転することができる。また、操作部は指で摘まむようなものではなく手で把持可能な大きさを有しているため、より容易な回転が可能となる。
【００１７】
また、好ましくは、前記穴部の内周面は、前記操作部の周縁部に比べて薄いことを特徴とする。
そうすると、操作部の周縁部の厚みが大きいため、把持した際に周縁部が手に食い込むなどの悪影響を防止することができる。
また、このように操作部の周縁部に厚みがあっても、穴部の内周面は比較的に薄いため、本蓋開閉具を使用可能な蓋の種類を広げることができる。即ち、蓋は外周側面や突起の形状が一様ではなく、穴部の内周面は厚みが大きい程、蓋の所定の部分に引っ掛かり易く、浅く挿入せざるを得ない蓋も生じてくる。しかし、上記構成では、穴部の内周面は比較的に薄いため、穴部に蓋を確実に挿入できる蓋の種類を増やすことができる。
【００１８】
また、好ましくは、前記操作部の周縁部の厚みは、把持する際に曲げた指の第一関節と第二関節との間の前記指の内側寸法と同様であることを特徴とする。
従って、第一関節と第二関節を確実に曲げて容易な把持が可能となる。そして、該関節を確実に曲げられる範囲内において、指の内側で押えられる周縁部の面積を大きく確保して、使用者は力を入れ易くもなる。
【００１９】
また、好ましくは、前記操作部は、前記延伸する方向と交差する方向である幅方向の前記周縁部に、把持された際に母指球の丸みに略沿うように形成された湾曲部が形成されていることを特徴とする。
従って、把持した際に操作部の周縁部と母指球とが密着して、使用者はより力を入れて楽に押すことできる。
【００２０】
また、好ましくは、前記操作部は、前記湾曲部を前記幅方向の片側にのみ有すると共に、前記穴部から離間するに従って除々に前記幅方向の寸法が小さくなっていることを特徴とする。
そうすると、使用者は、操作部を操作する際、幅方向の片側にある湾曲部には上述のように母指球をあてることができ、その反対側の周縁部は、小指側に向かうに従って除々に短くなる指に対応した形状となり、指が曲げ易くなって容易な把持が可能となる。
【００２１】
また、好ましくは、前記操作部は、主面の一方に、前記湾曲部を押す方向が前記蓋を開ける方向であることを示す開蓋案内表示部と、前記主面の他方に、前記湾曲部を引く方向が前記蓋を閉める方向であることを示す閉蓋案内表示部とを有することを特徴とする。
従って、使用者は蓋を開ける際、開蓋案内表示部に従って操作部を操作すれば、自然と湾曲部に母指球を押し当てる動作になって、力を入れて蓋を回転することができる。また、蓋を閉める際は、閉蓋案内表示部に従って操作部を操作すれば、自然と湾曲部に指を掛ける動作になって、蓋を回転し易くなる。即ち、上述のように操作部が穴部から離間するに従って除々に幅方向の寸法が狭くなっていくと、湾曲部と反対側の周縁部は母指球や指が滑り易い形状となり易い。そこで、開蓋案内表示部及び閉蓋案内表示部により、操作の際に主に力を伝達する部位は湾曲部であることを使用者に知らせ、これにより蓋を容易に回転することができる。
【００２２】
また、好ましくは、前記穴部の一方の側に前記操作部が形成されており、前記穴部の他方の側には前記穴部の一部を切り欠くようにして切り欠き部が形成されていることを特徴とする。
従って、例えば容器の蓋に近接して取っ手等の他の部分・部材があり、この他の部分・部材と蓋との間にスペースが余りないような場合であっても、切り欠き部を蓋と他の部分・部材との間に配置するようにして穴部に蓋を挿入し、蓋開閉具を回転することができる。
【発明の効果】
【００２３】
以上、本発明によれば、蓋を容易に開閉でき、かつ、複数種類の蓋に対応して開閉可能な蓋開閉具を提供することができる。
【図面の簡単な説明】
【００２４】
【図１】容器の例である灯油容器の斜視図。
【図２】図１の灯油容器の蓋の斜視図。
【図３】図３（ａ）は図２の蓋の平面図、図３（ｂ）は図３（ａ）のＡ’−Ａ’断面図。
【図４】図４（ａ）及び（ｂ）は図１の灯油容器のその他の２種類の蓋の平面図、図４（ｃ）はその他の種類の蓋の斜視図。
【図５】本発明の第１実施形態に係る蓋開閉具であり、図５（ａ）はその正面図、図５（ｂ）は背面図。
【図６】図５の蓋開閉具の平面図。
【図７】図５の蓋開閉具の底面図。
【図８】図８（ａ）は図５の蓋開閉具の右側面図（図５の蓋開閉具の左側面図はこの右側面図と同一である）、図８（ｂ）は図５（ａ）のＡ−Ｂ−Ｃ−Ｄ線組合せ断面図。
【図９】図５の蓋開閉具の斜視図。
【図１０】図５の蓋開閉具の穴部に図３の蓋を挿入し、開蓋する操作状態を示す図。
【図１１】図５の蓋開閉具の穴部に図３の蓋を挿入し、閉蓋する操作状態を示す図。
【図１２】図１２（ａ）は図５の蓋開閉具の穴部に図４（ａ）及び（ｃ）の蓋を挿入した穴部の図、図１２（ｂ）は図５の蓋開閉具の穴部に図４（ｂ）の蓋を挿入した穴部の図。
【図１３】図５の蓋開閉具の穴部に蓋を挿入しようとしている状態の断面図。
【図１４】図５の蓋開閉具を把持している図。
【図１５】本発明の第２実施形態に係る蓋開閉具の正面図（図１５の蓋開閉具の背面図はこの正面図と対称である。また、図１５の蓋開閉具の平面図、底面図、右側面図は、図５の蓋開閉具の平面図、底面図、右側面図と夫々同一であり、左側面は右側面と同一である）。
【図１６】図１５の蓋開閉具の斜視図。
【図１７】図１７（ａ）は本発明の第３実施形態に係る蓋開閉具の正面図（穴部の中に図示した仮想線は図３の蓋）、図１７（ｂ）は図１７（ａ）の穴部に図４（ｂ）の蓋を挿入した図である。なお、図１７の蓋開閉具の背面図は図１７（ａ）の正面図と対称である。また、図１７の蓋開閉具の平面図、底面図、右側面図は、図５の蓋開閉具の平面図、底面図、右側面図の夫々と同一であり、左側面は右側面と同一である。
【図１８】図１７の蓋開閉具の斜視図。
【図１９】本発明の第４実施形態に係る蓋開閉具の正面図（図１９の蓋開閉具の背面図はこの正面図と対称である）。
【図２０】図１９の蓋開閉具の斜視図。
【図２１】図１９の蓋開閉具の平面図。
【図２２】図１９の蓋開閉具の底面図。
【図２３】図１９の蓋開閉具の右側面図。
【図２４】図１９の蓋開閉具の左側面図。
【図２５】本発明の第５実施形態に係る蓋開閉具の正面図（図２５の蓋開閉具の背面図はこの正面図と同一である）。
【図２６】図２５の蓋開閉具の斜視図。
【図２７】図２５の蓋開閉具の平面図。
【図２８】図２５の蓋開閉具の底面図。
【図２９】図２５の蓋開閉具の右側面図（図２５の蓋開閉具の左側面図はこの右側面図と同一である）。
【図３０】本発明の第６実施形態に係る蓋開閉具の斜視図。
【図３１】本発明の第６実施形態に係る蓋開閉具の変形例。
【発明を実施するための最良の形態】
【００２５】
〔蓋の概要〕
本発明の実施形態に係る蓋開閉具を説明する前に、理解に資するものとして、蓋開閉具を使用して開閉する蓋について、図１〜図４を用いて説明する。
図１は蓋２が付いた容器の例である灯油容器１の斜視図、図２は図１の灯油容器１の蓋２の斜視図、図３（ａ）は蓋２の平面図、図３（ｂ）は図３（ａ）のＡ’−Ａ’断面図である。また、図４は灯油容器１に用いることが可能なその他の種類の蓋２００〜２０２の平面図である。
なお、ここでは、好適な例として灯油容器１の蓋２，２００〜２０２を説明するが、本発明の蓋開閉具を使用する蓋はこの灯油容器１の蓋２に限られるものではなく、例えば飲料や薬液を保存・運搬するための容器にも利用できる。
【００２６】
図１の灯油容器１は灯油タンク・ポリタンク等とも呼ばれ、ストーブや発動機の燃料、溶剤等に用いられる灯油を保存・運搬するのに用いられる。この灯油容器１は灯油を収容する容器本体４と、この容器本体４を封止するものであり、回転により開閉する蓋２とからなっている。
容器本体４は、例えば高密度ポリエチレンで形成されており、図の場合、大容量（例えば１８リットル）の容量を有し、持ち上げるための取っ手６を有している。
そして、取っ手６を支持する支持部７に隣接して円筒状の灯油の注入・注出口（以下「注ぎ口」とう）８が形成され、この注ぎ口８に対して蓋２は螺合構造により着脱可能とされる。即ち、注ぎ口８の外周面には雄ネジ（不図示）が、蓋２の内周面には図３（ｂ）に示すように雌ネジ５が、夫々形成されており、蓋２は中心軸ＣＬ回りに回転して開閉可能になっている。
本発明の実施形態の例である蓋開閉具３０は、この中心軸ＣＬの方向に略沿って、穴部４０に蓋２を挿入して使用される（蓋開閉具３０については後で詳細に説明する）。
【００２７】
この点、灯油容器１の蓋２については、ＪＩＳ規格で内周の直径Ｌ（図３参照）が規定されているため、図２〜図４に示す各種の蓋２，２００〜２０２の内周の直径は同じである。また、ＪＩＳ規格で蓋を開閉する際の回転方向も決められており、左回りＬＶが開蓋する方向、右回りＲＶが閉蓋する方向である。
しかし、図２〜図４に示すように、各種の蓋２，２００〜２０２の外形は様々であり（図示していないが、他にも多数の種類がある）、特に、蓋を回し易くするための手掛かりとなる突起１０，１６，１８，１９の形状が様々である。
【００２８】
具体的には、図３に示す蓋２の場合、蓋２は上部２Ｂから下部２Ｂに向かうに従って僅かに直径Ｌ１が大きくなっていき、外周面２Ａは僅かに傾斜している。そして、この外周面２Ａに対して複数の突起１０（図の場合は１２個の突起１０）が形成されており、これら複数の突起１０は回転方向ＬＶ，ＲＶに沿って均等に配列されている。
突起１０は相対的に大きな突起（以下「大突起」という）１２と小さな突起（以下「小突起」という）１４の２種類あり、大突起１２は９０度毎に配置されている。小突起１４は、９０度毎の大突起１２どうしの間に、夫々２個所ずつ配置されている。なお、大突起１２は幅寸法Ｗ１及び突出寸法Ｄ１の双方において、小突起１４の幅寸法Ｗ２及び突出寸法Ｄ２よりも大きく、特に、突出寸法Ｄ１は突出寸法Ｄ２の２倍以上を有する。
【００２９】
これに対して、図４（ａ）に示す蓋２００の場合、複数の突起１６の回転方向ＬＶ，ＲＶの位置は図３の突起１２，１４と略同じであるが、全ての突起１６が同じ大きさであり、図３に示す小突起１４と同様である。
また、図４（ｂ）に示す蓋２０１の場合、回転方向に均等に配列された突起１８の数が図３及び図４（ｂ）の蓋２，２００に比べて少なく、４５度毎に配置され計８個とされている。なお、突起１８の大きさ（突出寸法、及び幅寸法）は、図３の大突起１２と小突起１４との中間程度の大きさである。
また、図４（ｃ）に示す蓋２０２の場合、突起１９の数・回転方向の位置・大きさは図２及び図３の突起１０と同様であるが、長さＬ３が図２の長さＬ４よりも短く、上部２０２Ｂ付近に突起１９が形成されていない。
【００３０】
このように蓋２，２００〜２０２によって、突起１０，１６，１８，１９の位置・大きさは様々であるが、いくつかの共通点も有している。
一つ目は、回転方向ＬＶ，ＲＶにおける位置について、複数種類の蓋２，２００〜２０２に共通する突起である共通突起２０が存在する。図の場合、複数種類の蓋２，２００〜２０２の全てが、回転方向について９０度毎に共通突起２０が存在する（図示していないが、ＪＩＳ規格に適合した蓋の略全てが、９０度毎に共通突起２０が存在していることが分かった）。
二つ目は、全ての突起１０，１６，１８，１９が蓋２，２００〜２０２の半径方向ｒ２に沿って突出している。
三つ目は、蓋２，２００〜２０２の下部には、リング状の鍔部１５が存在しており、ほんの僅かな差はあるものの、鍔部１５の直径Ｌ２も略同じである。
【００３１】
以下、本発明の好適な実施の形態を添付図面を参照して詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
なお、以下に述べる角度は、特に言及がない限り、蓋及び穴部の回転方向の角度（回転角度に対応した角度）を意味する。
【００３２】
〔第１実施形態〕
図５〜図１４は本発明の第１実施形態に係る蓋開閉具３０であって、図５（ａ）は正面図、図５（ｂ）は背面図、図６は平面図、図７は底面図、図８（ａ）は右側面図、図８（ｂ）は図５（ａ）のＢ−Ｃ−Ｄ線組合せ断面図、図９は斜視図である。なお、蓋開閉具３０の正面図と背面図は対称である。
また、図１０は穴部４０に図３の蓋２を挿入して、開蓋する操作状態を示す図、図１１は穴部４０に図３の蓋２を挿入して、閉蓋する操作状態を示す図、図１２は図３の蓋２とは種類の異なる図４の蓋２００〜２０２を挿入した図、図１３は穴部４０に蓋２を挿入しようとする断面図、図１４は蓋開閉具３０を把持している図である。
【００３３】
これらの図の蓋開閉具３０は、蓋を閉める閉蓋、及び蓋を開ける開蓋を容易にするための道具であって、キャップオープナーとも呼ぶことができる。
図の蓋開閉具３０は、灯油容器の蓋を開閉するのに特に適しており、図５及び図９に示すように、全体的に扁平な勾玉のような形状をし、後述する穴部４０側が円形状、その反対側が先細りとなっている。また、全体形状については、図９に示すように、縁部３０Ａが全周に渡って厚く形成されているのに対して、縁部以外の部分３０Ｂは相対的に薄い板状であり、略均一の厚みとされている。
このようにして縁部３０Ａはリブの機能を有し、さらに、蓋開閉具３０は、少なくともゴムシート、布、不織布、合成皮革に比べて高い硬度を有する例えば金属材料及び／又は耐薬品性のある樹脂材料（例えば高密度ポリエチレン樹脂、ポリアセタール樹脂、熱硬化性のエポキシ樹脂等が好ましい。なお、水、水溶液のように耐薬品性が必要でない場合にはＡＢＳ樹脂でもよい。）で形成され、これにより、全体的に屈曲性を有しないようになっている。
なお、蓋開閉具３０は、全体的に屈曲性を有さなければよく、例えば、後述する手で把持する操作部５０の周縁部５０Ａ（縁部３０Ａの一部）に弾性体を設けるなど、一部に屈曲性のある弾性部材が設けられてもよい。
【００３４】
蓋開閉具３０は、複数種類の蓋２，２００〜２０２（図２〜図４参照。以下同様）が挿入される「穴部４０」と、穴部４０の内周面４０Ａに形成され、蓋２，２００〜２０２の外周面にある複数の突起１０，１２，１４，１６，１８，１９（図２〜図４参照）と係止可能な複数の「凹部３２」と、穴部４０を回転させるための「操作部５０」とを有している。
以下、この「穴部４０」「凹部３２」「操作部５０」について詳細に説明する。なお、以下、特段の言及がない限り、「蓋２Ｘ」は蓋２，２００〜２０２を意味し、「突起１０Ｘ」は突起１０，１２，１４，１６，１８，１９を意味する。
【００３５】
〔穴部４０について〕
先ず、穴部４０について、主に図１０〜図１３を用いて説明する。
図１０〜図１３に示す穴部４０は厚み方向に貫通した貫通孔であって、蓋２Ｘの外形に対応して正対視が略円形状とされ、その内周面４０Ａは蓋２Ｘの外周面と略同心円とされている。この穴部４０は、後述する凹部３２を除く内周面４０Ａの直径Ｌ３が、蓋２Ｘの外周面２Ａの直径Ｌ１よりも僅かに大きく形成されている。これにより、例えば図１３に示すように、蓋２をその外周面２Ａの高さ方向の所要の位置まで挿入することができる。このような所要の位置まで挿入可能な内周面４０Ａの直径Ｌ３は、図４の複数種類の蓋２００〜２０２も同様に挿入可能なように対応している。
【００３６】
また、図１３に示すように、穴部４０については、その内周面４０Ａの厚みＤ３は、操作部５０の周縁部５０Ａの厚みＤ４に比べて小さく、本実施形態の場合、厚みＤ３は約３ｍｍ前後であり、厚みＤ４の概ね１／３である。これにより、もし仮に、蓋２の外形が複雑な場合や、蓋２の外周面２Ａの傾斜角度θ１が比較的大きな場合であっても、蓋２をその外周面２Ａの高さ方向の少なくとも途中まで挿入することができる。
図１０の場合、穴部４０内周面４０Ａの直径Ｌ３は、蓋２の外周面２Ａの直径よりも相当に大きく、蓋２をすっぽり挿入可能となっているが、穴部４０の周縁部４２が、図１３に示す蓋２の鍔部１５に当接して、蓋２は少なくとも鍔部１５よりも上側の位置で止まるようになっている。
このようにして、穴部４０は、蓋２Ｘを確実に挿入できると共に、貫通孔であっても蓋２Ｘが通過することを防止して、厚み方向の位置について蓋２Ｘの突起１０Ｘと凹部３２とを合わせることができる。なお、穴部４０は蓋を確実に挿入するために厚みの小さい貫通孔が好ましいが、本発明の穴部はこれに限られず、有底の穴であっても構わない。
【００３７】
〔凹部３２について〕
次に、凹部３２について、主に図１０〜図１３を用いて説明する。
凹部３２は、回動方向ＬＶ，ＲＶの内周面３２ａと蓋２Ｘの突起１０Ｘとを係わらせて、蓋２Ｘを回転させるための係止手段である。
図の凹部３２は、穴部４０の内周面４０Ａの厚み方向全体に沿う溝であって、穴部４０の半径方向に沿った深さを有している（図９参照）、これにより、穴部４０に蓋２Ｘを挿入した際に、この溝である凹部３２に長細い突起１０Ｘが入るようになっている。凹部３２は、夫々に突起１０Ｘが収容可能なように穴部４０の内周面４０Ａに複数形成されている。
【００３８】
この複数の凹部３２の夫々は、図１０〜図１２に示すように、突起１０Ｘの位置及び／又は大きさが互いに異なる複数種類の蓋２Ｘのいずれを穴部４０に挿入した際にも、突起１０Ｘを収容するようにしている。即ち、凹部３２は、蓋２Ｘを挿入した際にいずれの突起１０Ｘも収容可能な位置や大きさを有し、例えば図１０に示すように、突起１０の位置に略合って突起１０を収容する場合もあるし、或いは、図１２に示すように突起１８の位置と合わないが、大きな凹部３２の中に突起１８を収容する場合もある。このようにして、凹部３２の位置や大きさを工夫して、穴部４０に蓋２Ｘを挿入した際、少なくとも全ての突起１０Ｘを凹部３２の中に収容できるようにしている。
【００３９】
このような凹部３２は、少なくとも穴部４０が回転した際には、突起１０Ｘと係止するようになっている。即ち、仮に、突起１０Ｘと凹部３２の内周面３２ａとの間にスペースがあっても、穴部４０が回転した際には、凹部３２も回転して、凹部３２とその中の突起Ｘの全て又はいずれかが係止されるようになっている。従って、蓋２Ｘを挿入した穴部４０を回転させれば、突起１０Ｘが凹部３２の内面３２ａに押されて、蓋２Ｘも穴部４０と同じ方向に回転可能となる。この凹部３２については、後で詳細に説明する。
【００４０】
〔操作部５０について〕
次に、操作部５０について、主に図５、図１０〜図１４を用いて説明する。
操作部５０は、穴部４０及びその内周面４０Ａに溝状に形成された凹部３２を、図５に示す穴部４０の中心軸ＣＬ１を中心に回転させるためのものであり、穴部４０からその略半径方向ｒ１に沿って、所定の一方向の側に延伸することで、片手で把持可能なレバー状とされている。これにより、図１０及び図１１に示すように、操作部５０を把持して穴部４０の周りを図のＬＶ方向又はＲＶ方向に回せば、穴部４０及びその内周面４０Ａの凹部３２が回転し、この凹部３２の内面３２ａが蓋２の突起１０に係止して、蓋２をＬＶ，ＲＶ方向にテコの要領で容易に回転させることができる。
また、図５に示す操作部５０の延伸した長さＬ４は、図１０に示すように、女性であっても５本の指を曲げて把持可能な大きさであるため、非力な者でも力を入れ易くなっている。
【００４１】
このような操作部５０は、周縁部５０Ａの内、上記延伸する方向Ｘと交差する方向である幅方向（図の場合は略直交する方向である幅方向）Ｙの周縁部に、操作部５０の中央部に向かって凸となる湾曲部５２が形成されている（つまり、湾曲部５２は周縁部が窪むように湾曲している）。この湾曲部５２は、図１４に示すように、把持した際に母指球ＭＢの丸みに略沿うように形成されている。従って、図１０に示すように、開蓋操作をする際、母指球ＭＢを湾曲部５２に押し当てて、力を入れて操作部５０を回転させることができる。
【００４２】
本実施形態の湾曲部５２は幅方向Ｙの片側にのみ形成されており、幅方向Ｙの湾曲部５２と反対側の周縁部５３は外側に向かって凸となるように湾曲し、全体的に操作部５０は、穴部４０から離間するに従って除々に幅方向Ｙの寸法が小さくなっている。従って、図１４に示すように、湾曲部５２に母指球ＭＢを当てることができるだけでなく、その反対側の周縁部５３は、小指ＫＦ側に向かうに従って除々に短くなる指に対応した形状となり、指ＦＧが曲げ易くなって容易な把持が可能となる。
【００４３】
また、図１０及び図１１に示すように、操作部５０は、その主面（厚み方向の面）に、開蓋と閉蓋の方向性を表示する報知部２７が設けられている。即ち、周縁部５３は外側に向かって凸となるように湾曲しているため、そこに母指球や指ＦＧを配置すると滑り易い。このため、報知部２７により、開蓋する際も閉蓋する際も、内側に向かって凸となる湾曲部５２に主に力を入れて操作するように（押したり引いたりするように）案内している。
【００４４】
具体的には、図１０に示すように、報知部２７は、操作部５０の主面の一方に、湾曲部５２を押す方向が蓋２を開ける方向であることを示す開蓋案内表示部２８を有している。なお、図１０は右利き用の蓋開閉具３０であり、これにより、使用者は母指球ＭＢを湾曲部５２に当てて押す操作を自然と行うこととなる。
また、図１０の裏面を表す図１１に示すように、操作部５０の主面の他方には、湾曲部５２を引く方向が蓋２を閉める方向であることを示す閉蓋案内表示部２９を有している。これにより、使用者は指ＦＧを湾曲部５２に掛けて引く操作を自然と行うこととなる。
図１０及び図１１の開蓋案内表示部２８及び閉蓋案内表示部２９は矢印と文字とからなり、これらは図５の主面にはなく、後から印刷して形成しているが、操作部５０と一体成形しても勿論よい。
【００４５】
また、上述したが、図１３に示すように、穴部４０の内周面４０Ａの厚みＤ３は、操作部５０の周縁部５０Ａの厚みＤ４に比べて小さく、換言すれば、操作部５０の周縁部５０Ａは相当に厚く形成されている（図の場合は約１ｃｍ前後である）。この周縁部５０Ａの厚みＤ４は、図１３の一点鎖線で囲った図に示すように、把持する際に曲げた指ＫＧの第一関節ＦＪと第二関節ＳＪとの間の指ＦＧの内側寸法Ｌ５と同様である。従って、関節ＦＪ，ＳＪを確実に曲げて容易な把持が可能となり、かつ、周縁部５０Ａに当接する指ＦＧの面積を大きく確保して、力を入れ易くすることができる。
【００４６】
なお、図１４に示すように、穴部４０とは反対側の操作部５０の端部には、小穴２６が形成されている。小孔２６は、そこに紐を通して例えばフックに掛けたり、或いは、壁等に取り付けられたフックに直接掛けたりするための保管用の孔である。
【００４７】
〔凹部３２の更なる特徴について〕
次に、上述した凹部３２の更なる特徴について、主に図１０〜図１２を用いて説明する（以下の蓋と突起の符号については図３及び図４を参照）。
上述したように、複数の凹部３２は、突起１０Ｘのいずれも収容可能な位置及び／又は大きさを有することで、穴部４０に蓋２Ｘを挿入した際、少なくとも突起１０Ｘを凹部３２の中に収容できるようにしている。即ち、凹部３２については、複数種類の突起１０Ｘの夫々を個別に収容して係合させることは困難な場合があり、また、それが可能であっても使用可能な蓋の種類を狭める結構となる。そこで、所定の凹部３２を予め大きく形成して、全ての突起Ｘを凹部３２の中に収容できるようにしている。
【００４８】
この点、凹部３２を大きくするほど、そこに入る突起の種類を増やせ、蓋開閉具３０を使用可能な蓋の種類を増やすこともできる。しかし、凹部３２を大きくし過ぎると、蓋によっては、その中に入った突起と凹部３２の内周面３２ａとの距離が大きくなって、操作部５０を回し始めても凹部３２と突起１０とを直ぐに係止することができず、操作した際の力を直ぐに突起に伝達するのが困難となる。また、使用者が想定する操作位置とは異なる位置で操作しなければならない事態となる。
そこで、本実施形態の凹部３２は、回転方向ＬＶ，ＲＶにおける位置について、複数種類の蓋２Ｘに共通する突起である複数の共通突起２０の夫々を個別に収容するようにした複数の第１の凹部３５と、回転方向ＬＶ，ＲＶにおいて互いに隣接する複数の第１の凹部３５どうしの間にある複数の突起１４，１６，１８，１９をまとめて収容可能な大きさである第２の凹部３６とを有している。
【００４９】
即ち、第１の凹部３５は、複数種類の蓋２Ｘの回転方向の位置が共通する共通突起２０を個別に収容して、回転した際に直ぐに共通突起２０と係止するように、共通突起２０と略係合する程に対応した形状とされている。
具体的には、図３及び図４で説明したように、共通突起２０は９０度毎に配置されているため、図１０〜図１２に示す第１の凹部３５も、この共通突起２０に対応して９０度毎に配置され、計４か所とされている。なお、本発明の第１の凹部３５の数は４か所に限られるものではないが、２カ所以上であって、回転方向に均等に配置されるのが好ましい。この第１の凹部３５の数については、多いほど円滑に蓋を回転させ易くなるが、多いほど使用可能な蓋の種類は減ることになるため、第１の凹部３５の数は、均等に配置された３カ所〜４カ所がより好ましい数である。
【００５０】
また、各第１の凹部３５は「各共通突起２０に対応した形状」であり、本実施形態の場合、複数種類の蓋２Ｘの内、最も大きな共通突起２０（図３示す幅寸法Ｗ１と突出寸法Ｄ１を有する大突起１２）の形状に対応して僅かに大きく形成されている。なお、共通突起２０は、回転方向の位置が共通する突起を意味するが、上述したように蓋の種類によってその大きさには違いがある。このため、蓋の種類によって共通突起２０と第１の凹部３５との係合の程度には違いがあり、例えば図１０の係合度合に比べて図１２の係合度合は小さい。第１の凹部３５の「各共通突起２０に対応した形状」とは、このように係合度合の差を認めるもので、概ね係合できればよい。これにより、大きさの異なる共通突起２０の全てを第１の凹部３５に収容できる。
【００５１】
このように、蓋開閉具３０は第１の凹部３５を有しているため、蓋開閉具３０を回転すると直ぐに共通突起２０と第１の凹部３５とが係止して、ストレスなく円滑な開閉動作を行うことができる。
なお、仮にではあるが、例えば図１２の共通突起２０と第１の凹部３５との関係が「略係止」とは言えず、また、蓋によっては更に共通突起と第１の凹部３５との間にスペースが開いたしても、少なくとも穴部４０を回転した際には、複数の第１の凹部３５と、その夫々の中に収容された共通突起２０とは係止されるので、蓋の回転性には全く問題ない。
【００５２】
第２の凹部３６は、第１の凹部３５以外の溝であり、第１の凹部３５と共通突起２０との略係合を少なくとも邪魔しないように形成すればよく、必ずしも突起と係止しなくてもよいが、好ましくは突起と係止されるのがよい。
本実施形態の場合、灯油容器の蓋には、図３に示すように突起１０が３０度毎に回転方向に均等に配列されていることが多いことから、図１０に示すように、９０度毎の４つの第１の凹部３５と、回転方向に互いに隣接する複数の第１の凹部３５どうしの間の周縁部４０Ａに対して、その概ね１／３の中央部に形成するようにした第２の凹部３６としている。換言すれば、共通突起２０を基点にして３０度毎に配置された突起１４と当接するように、第２の凹部３６の回転方向の内面３６ａを形成している。
これにより、灯油容器の全ての蓋ではないが、多くの蓋については、図１０に示すように、第１の凹部３５と共通突起２０とを略係合させることで、第２の凹部３６と突起１４についても略係止可能なように配置することができる。従って、操作部５０で操作した際の力をより伝達し易くなって、蓋の回転が容易となる。さらに、このような第１及び第２の凹部３５，３６からなる凹部３２は、略３０度毎に内面３２ａを有するため、図１１に示すように、第１の凹部３５と第２の凹部３６のいずれにも共通突起２０とそうでない突起１４を収容するように蓋２を挿入できる。
【００５３】
さらに、本実施形態の蓋開閉具３０の場合、複数の凹部３２の全ては（即ち、第１の凹部３５と第２の凹部３６の双方は）、複数種類の蓋２Ｘの突起１０Ｘの内、最も大きな突出寸法と同等以上の深さとなるように形成されている。図の場合、最も大きな突出寸法を有するのは、図３に示す大突起１２であり、この突出寸法Ｄ１は４ｍｍである。そこで、図１１に示す凹部３２の深さ（溝の深さ）Ｄ５は、突起の最大突出寸法を超す４．５ｍｍ程度にしている。これにより、図１０及び図１１のように、大突起１２と小突起１４のように突出寸法が区々な場合であっても、大突起１２の突出寸法に制限されることなく、全ての突起１０を第１の凹部３５と第２の凹部３６のいずれにも収容することができ、突起１０の配置角度毎（図の場合は３０度毎）に穴部４０に蓋２を挿入できる。即ち、図１０を用いて説明すると、もし、大突起１２を第２の凹部３６に収容不可能であると仮定すると、蓋２を穴部４０に挿入する際、大突起１２を第１の凹部３５に収容させる必要が生じて、４５度毎に挿入しなければならないという制限が生じ、好ましい角度で回転することができない事態が生じ得る。そこで、大突起１２を第１及び第２の凹部３５，３６のいずれにも収容可能としている。
なお、最も大きな突起よりも僅かに大きな内面形状を有する凹部３２としているのは、突起と凹部３２が嵌合し過ぎて、操作終了後に蓋が外れ難くなる事態を防止するためである。
【００５４】
〔第２実施形態〕
図１５及び図１６は本発明の第２実施形態に係る蓋開閉具１００であり、図１５は正面図、図１６は斜視図である。
これらの図において、図１〜図１４で用いた符号と同一の符号を付した箇所は共通する構成であるから、重複した説明は省略し、以下、相違点を中心に説明する。
第２の実施形態の蓋開閉具１００が上述した実施形態と異なるのは、凹部３８の形状のみである。
【００５５】
すなわち、凹部３８は、複数種類の蓋２Ｘの全ての突起１０Ｘについて、夫々を個別に収容できるように形成されている。
本実施形態の場合、使用を想定している蓋２Ｘには位置が区々なだけではなく、上述したように大小の突起があることから（図３の大突起１２と小突起１４）、凹部３８は、想定される大小の突起１０Ｘの夫々を個別に収容可能なように対応して形成されている。
【００５６】
具体的には、凹部３８は、図３の大突起１２（図３及び図４（ａ）（ｃ）の突起の３０度毎の角度と図４（ｂ）の突起の４５度毎の角度の公倍数である９０度毎の突起であって、共通突起２０となる）に対応して回転方向の９０度毎に配置されている大突起用凹部３５（図５の第１の凹部３５と構成は同じ）を有している。
また、図１５の凹部３８は、図３及び図４の小突起１４，１６，１８，１９に対応して、大突起用凹部３５よりも小さな溝である小突起用凹部３９を有している。小突起用凹部３９は、図３及び図４（ａ）（ｃ）の共通突起２０どうしの間であって、共通突起２０から回転方向の３０度毎に配置されている小突起１４，１６，１９に対応した第１の小突起用凹部３９ａと、図４（ｂ）の共通突起２０どうしの間であって、共通突起２０から回転方向の４５度に配置されている小突起１８に対応した第２の小突起用凹部３９ｂとを有している。
【００５７】
第２の実施形態の蓋開閉具１００は以上のように形成され、これにより、全ての突起１０Ｘを凹部３８に個別に収容して略係合し、操作した力を全ての突起にバランスよく、かつ直ぐに伝達して、第１の実施形態に比べて、よりストレスなく円滑な開蓋・閉蓋が可能となる。
なお、図１５及び図１６で示した蓋開閉具１００については、図３及び図４の蓋２Ｘの突起１０Ｘのパターンと同じ蓋にのみ使用することができ、該パターンと異なる蓋には使用できない。このため、使用できる蓋の種類を広げる意味では第１の実施形態の蓋開閉具３０の方が優れている。
【００５８】
〔第３実施形態〕
図１７及び図１８は本発明の第３実施形態に係る蓋開閉具１０１であり、図１７（ａ）は正面図（穴部４０の中に図示された仮想線は図３の蓋２）、図１７（ｂ）は図４（ｂ）の蓋２０１を穴部４０に挿入した図、図１８は斜視図である。
これらの図において、図１〜図１６で用いた符号と同一の符号を付した箇所は共通する構成であるから、重複した説明は省略し、以下、相違点を中心に説明する。
第３の実施形態の蓋開閉具１０１が上述した実施形態と異なるのは、凹部６０の形状のみである。
【００５９】
すなわち、凹部６０は、第１実施形態で説明した複数の共通突起２０の夫々から、回転方向の一方側（例えばＬＶ側）の次の共通突起２０の直前の突起Ｑまでをまとめて収容可能としている。本実施形態の場合、換言すれば、凹部６０は、図１０の各第１の凹部３５と、これに回転方向の一方側に隣接する各第２の凹部３６とを、夫々一体的な溝とするようにまとめたものである。
【００６０】
この点、上記「直前の突起Ｑ」とは、複数種類の蓋２Ｘのうち、共通突起２０を基点として回転方向の一方側の次の共通突起２０に最も近い位置にある突起である。例えば、図１７（ａ）の穴部４０に挿入した蓋２の共通突起２０以外の突起１４は、図１７（ｂ）の穴部４０に挿入した蓋２０１の共通突起２０以外の突起１８に比べて、各共通突起２０を基点として回転方向の一方側（例えばＬＶ側）の次の各共通突起２０に近い位置にある突起Ｑを有している。そして、この共通突起２０から突起Ｑまでの回転方向の寸法Ｌ６に対応して、図１７の凹部６０の回転方向の寸法も形成されている。
なお、図の突起１０Ｘは全て回転方向に均等に配置されているので、４つの凹部６０は同じ形状とされている。
【００６１】
第３の実施形態の蓋開閉具１０１は以上のように形成され、これにより、第１及び第２の実施形態に比べて大きく形成された各凹部６０には、一つの共通突起２０と、図１７（ａ）に示す該一つの共通突起２０から回転方向の一方向側に配置された２つの突起１４と、図１７（ｂ）に示す該一つの共通突起２０から回転方向の一方向側に配置された一つの突起１８、の全てを収容可能であり、このように、凹部６０の中の突起の位置は制限されない。特に、上述した直前の突起Ｑは、複数種類の蓋２Ｘの内、上述した次の共通突起２０に最も近い位置にあるため、凹部６０は相当に大きく形成されており、様々な突起の位置に対応できる。従って、本第３実施形態の蓋開閉具１０１は、第１及び第２の実施形態に比べて、使用可能な蓋の種類を広げることができる。
また、図１７（ａ）の蓋２（図４（ａ）（ｃ）の蓋２００，２０２も同様）であれば、共通突起２０と直前の突起Ｑの両方が凹部６０の回転方向ＬＶ，ＲＶの内面６０ａと略係止可能であり、開蓋方向ＬＶと閉蓋方向ＲＶの両方について、操作した力を無駄なく突起に直ぐに伝達することができる。
また、図１７（ｂ）で蓋２０１を穴部４０に挿入した場合、共通突起２０と突起１８は凹部６０の中央部に入って、回転しなければ内周面６０ａと係止できない事態も生じる。しかし、それでも、少なくとも穴部４０をＲＶ方向に回転すれば、凹部６０とその中の突起１８とが係止し、穴部４０をＬＶ方向に回転すれば、凹部６０とその中の共通突起２０とが係止するので、蓋２０１を開閉すること自体には問題がない。
【００６２】
〔第４実施形態〕
図１９〜図２４は本発明の第４実施形態に係る蓋開閉具１０２であり、図１９は正面図、図２０は斜視図、図２１は平面図、図２２は底面図、図２３は右側面図、図２４は左側面図である。
これらの図において、図１〜図１８で用いた符号と同一の符号を付した箇所は共通する構成であるから、重複した説明は省略し、以下、相違点を中心に説明する。
第４の実施形態の蓋開閉具１０２が上述した実施形態と異なるのは、穴部６７が切り欠かれている点である。
【００６３】
すなわち、蓋開閉具１０２は、上述のように穴部６７の一方の側に操作部５０が形成されているが、穴部６７の他方の側（操作部５０とは反対側）には、穴部６７の一部を切り欠くようにして切り欠き部６８が形成されている。
切り欠き部６８は、蓋周りのスペースＳが小さくても、蓋開閉具１０２を回転可能にするためのものである。例えば、容器の取っ手の支持部７（図１参照）に蓋２が隣接して、この蓋２と支持部７との間のスペースＳが小さい場合、このスペースＳに穴部６７の周縁部６７が入らず、或いは、入ったとしても蓋開閉具１０２が回転できない事態が生じる恐れがある。そこで、切り欠き部６８を形成しており、これにより、切り欠き部６８をスペースＳに配置するようにして穴部６７に蓋２を挿入し、蓋開閉具１０２を回転することができる。
【００６４】
具体的には、穴部６７とその周縁部６７Ａの一部を含み、蓋開閉具１０２の操作部５０とは反対側の端部全体が切り欠かれ、このため、穴部６７は正対視が円形ではなくＣ字状とされ、先端側が開口している。
切り欠き部６８の大きさは、使用を想定する容器の蓋の周辺環境で決めればよいが、少なくとも回転方向の角度θ２が１８０度を超えるように穴部６７を残す必要があり、図１９の場合、回転方向の角度θ２は約２６０度である。これにより、使用者は、操作する際、蓋２から蓋開閉具１０２が外れないように手で押さえ付ける必要がなく、凹部３２を蓋の突起に係止させながら蓋を回転することができる。
また、図の場合、９０度毎に配置された第１の凹部３５を３カ所残すようにして切り欠き部６８を形成している。これにより切り欠き部６８があっても、蓋２の突起と第１の凹部３５とを良好に係止することができる。
【００６５】
〔第５実施形態〕
図２５〜図２９は本発明の第５実施形態に係る蓋開閉具１０３であり、図２５は正面図
図２６は斜視図、図２７は平面図、図２８は底面図、図２９は右側面図である。
これらの図において、図１〜図２４で用いた符号と同一の符号を付した箇所は共通する構成であるから、重複した説明は省略し、以下、相違点を中心に説明する。
第５の実施形態の蓋開閉具１０３が上述した実施形態と主に異なるのは、操作部７９についてである。
【００６６】
すなわち、蓋開閉具１０３の操作部７９は、幅方向Ｙの周縁部の両方が、内側に向かって凸となる（即ち窪むようにした）湾曲部５２とされている。この湾曲部５２は、上述したように、把持された際に母指球ＭＢの丸みに略沿うように形成されている。
従って、使用者は蓋開閉具１０３の表面と裏面を区別することなく、いずれの面を上に向けても、湾曲部５２に丸みのある母指球ＭＢを当てて押して開蓋したり、湾曲部５２に指を掛けて引いて閉蓋したりすることができる。
なお、操作部７９の幅方向Ｙの最も狭い部分の寸法Ｗ３は相当に小さく形成され、少なくとも穴部４０側の幅寸法Ｗ４よりも小さく、好ましくは３〜４ｃｍ前後にするとよい。これにより、一方の湾曲部５２に母指球ＭＢを当接させつつも、他方の湾曲部５２に指を掛けることができる。
【００６７】
〔第６実施形態〕
図３０は本発明の第６実施形態に係る蓋開閉具１０４の斜視図である。
この図において、図１〜図２９で用いた符号と同一の符号を付した箇所は共通する構成であるから、重複した説明は省略し、以下、相違点を中心に説明する。
第６の実施形態の蓋開閉具１０４が上述した実施形態と主に異なるのは穴部８０が有底である点と操作部８２の形状についてである。
【００６８】
即ち、穴部８０は上述した第１〜第５の実施形態とは異なり有底の穴とされ、穴部８０の上方を覆う覆い部分８５が形成されている。
そして、このように穴部８０を有底の穴としても、穴部８０に蓋２を深く挿入して確実に凹部３２と突起１０とを係止できるように、穴部８０の厚みＤ６は、少なくとも図１３の貫通孔の穴部４０の厚みＤ３に比べて大きく形成されている。
また、図３０の穴部８０の内周面８０Ａは僅かに傾斜しており、蓋２を挿入する側（図の下側）の直径Ｌ７が蓋２の外周面２Ａの最大直径Ｌ１よりも僅かに大きく、高さ方向の反対側（図の上側）の直径Ｌ８が蓋２の外周面２Ａの最小直径（不図示）よりも僅かに大きくなっている。
【００６９】
また、操作部８２については、第１〜第５の実施形態のような扁平な板状ではなく棒状であり、穴部８０の半径方向に沿って一方向に延伸している。
ところで、本発明の操作部については、穴部８０から一方向に延伸するだけでなく、例えば、本第６実施形態の変形例である図３１に示す操作部９０としてもよい。この操作部９０は、覆い部分８５から穴部８０の中心軸ＣＬに沿って上方に延伸した軸部９５と、この軸部９５の先端部から穴部８０の直径方向Ｌ７の両側に延伸した棒状のハンドル部９６とを有している。なお、図３１では凹部が図示していないが、図３０と同様に穴部８０の内周面には凹部が形成されている。
【００７０】
本第６実施形態の蓋開閉具１０４は以上のように構成され、穴部８０が有底の穴であっても、厚みＤ６が大きいため、蓋２を奥まで挿入させることができ、例えば図４（ｃ）に示すような上部に突起１９のない蓋２０２であっても使用できる。
また、もし仮に、複数種類の蓋２Ｘの内、鍔部１５（図２参照）が無い又はかなり小さい蓋があったとしても、その蓋が穴部８０を通り抜けることも防止できる。
また、厚みＤ６が大きい分、使用可能な蓋の種類は減少するかも知れないが、凹部３２と突起１０との係止面積は大きくなるため、突起１０に対して局所的に力を加えることを防止して、突起１０が潰れる等の事態を防止できる。
また、図３１の操作部９０では、ハンドル部９６を回転させれば、穴部８０の中心軸ＣＬに沿った軸部９５が図３１のＬＶ，ＲＶ方向に回転するので、蓋に対してバランスよく力を加えて回転させることができる。
【００７１】
本発明は上記実施形態に限定されるものではない。
例えば、本発明の各実施形態の凹部３２，３８，６０は、図３及び図４に示す蓋の長細い突起１０，１２，１４，１６，１８，１９に対応して、穴部４０，６７，８０の内周面の厚み方向に沿って形成された溝状とされているが、本発明はこれに限られず、蓋の突起が長細くない場合、凹部は窪みであっても構わない。
また、上記各実施形態の操作部は一つであるが、操作部が複数形成されても構わない。
また、上記各実施形態の凹部は複数形成されているが、本発明はこれに限られず、蓋の突起の数・大きさ・位置によっては、凹部は一つであっても構わない。仮に、大きな一つの凹部の中に、それよりも小さな一つの突起が収容される場合になっても、回転した際には、凹部と突起とが係止されるため、使い勝手は劣るかも知れないが、蓋を回転させることは可能である。
ところで、本発明の凹部は、蓋の突起と係止するものであるから、穴部の内周面に形成された凹部と表現している。この点、この凹部の底を穴部の内周面として把握し、穴部の内周面から突出した凸部が蓋の突起と突起との間（即ち、溝）に係止すると把握することもできる。このように、蓋の突起と穴部の内周面の凹部の関係と、蓋の溝と穴部の内周面の凸部の関係とは、同じ関係性を意味するものであり、本発明は、この穴部の内周面から突出した凸部を蓋の溝に係止させて回転するようにした形態も含むものである。
【符号の説明】
【００７２】
２・・・蓋、２Ａ・・・蓋の内周面、１０，１２，１４，１６，１８，１９・・・突起、２０・・・共通突起、２８・・・開蓋案内表示部、２９・・・閉蓋案内表示部、３２，３８，６０・・・凹部、３５・・・第１の凹部、３６・・・第２の凹部、４０，６７，８０・・・穴部、４０Ａ・・・穴部の内周面、４２・・・穴部の周縁部、５０，８２，９０・・・操作部、５０Ａ・・・操作部の周縁部、５２・・・湾曲部
【図１】
2017226426.tif 000003
【図２】
2017226426.tif 000004
【図３】
2017226426.tif 000005
【図４】
2017226426.tif 000006
【図５】
2017226426.tif 000007
【図６】
2017226426.tif 000008
【図７】
2017226426.tif 000009
【図８】
2017226426.tif 000010
【図９】
2017226426.tif 000011
【図１０】
2017226426.tif 000012
【図１１】
2017226426.tif 000013
【図１２】
2017226426.tif 000014
【図１３】
2017226426.tif 000015
【図１４】
2017226426.tif 000016
【図１５】
2017226426.tif 000017
【図１６】
2017226426.tif 000018
【図１７】
2017226426.tif 000019
【図１８】
2017226426.tif 000020
【図１９】
2017226426.tif 000021
【図２０】
2017226426.tif 000022
【図２１】
2017226426.tif 000023
【図２２】
2017226426.tif 000024
【図２３】
2017226426.tif 000025
【図２４】
2017226426.tif 000026
【図２５】
2017226426.tif 000027
【図２６】
2017226426.tif 000028
【図２７】
2017226426.tif 000029
【図２８】
2017226426.tif 000030
【図２９】
2017226426.tif 000031
【図３０】
2017226426.tif 000032
【図３１】
2017226426.tif 000033